(57)【特許請求の範囲】
【請求項１】
ほぼパッケージ材（３）が送られる方向に延びるとともに、前記パッケージ材（３）をマガジン内に支持するために前記マガジンの底部に配置された２つの回転軸（７）を有し、前記２つの回転軸（７）は、前記マガジンの底部の長さ方向へ互いに平行でない状態で延びている、充填のためにパッケージ機械にパッケージ材（３）を送るマガジンを有する装置であって、前記２つの回転軸（７）は、前記マガジンの底部に平行な平面内でそれら回転軸の軸線の周りで、互いに反対方向であって、前記パッケージ材（３）を送る方向への摩擦力成分を生じる方向へ回転することを特徴とする装置。
【請求項２】
前記２つの回転軸（７）は、前記マガジンの底部に平行な平面内で互いに所定の角度を形成し、それら回転軸（７）の間の距離は、前記パッケージ材（３）が前記パッケージ機械に送られる前記マガジンの出口端部でより小さくなっていることを特徴とする請求項１に記載の装置。
【請求項３】
前記マガジン内で前記パッケージ材（３）を移動させるプッシャと、前記マガジンに前記パッケージ材（３）を再装填する装置と、前記パッケージ材（３）を前記パッケージ機械に１つづつ送る装置とを有する請求項１または２に記載の装置。
【請求項４】
マガジンの底部にパッケージ材（３）のための可動の支持体を設けて、充填のためにパッケージ機械へ向けてマガジン内でパッケージ材を移動させる方法において、前記可動の支持体は、２つの回転軸（７）を有し、それら回転軸は、ほぼ前記パッケージ材（３）が送られる方向に沿って平行でない状態で延びており、また前記それら回転軸（７）は、前記マガジン内で前記パッケージ材（３）を支持するために前記マガジン内の前記底部に配置されている方法であって、前記２つの回転軸（７）を、互いに反対方向であって、前記パッケージ材（３）を送る方向への摩擦力成分を生じる方向へ回転させることを特徴とする方法。
【発明の詳細な説明】
【０００１】
本発明は、充填のためにパッケージ機械（又は包装機械）にパッケージ材料（又は包装ブランク）を１つづつ送る装置に関する。
【０００２】
また、本発明は、パッケージ材をパッケージ機械に送る前に装置のマガジン内でパッケージ材料を移動させる方法に関する。
【０００３】
（発明の背景）
例えばカートンのためのパッケージ材を充填のためにパッケージ機械に自動的に送る装置が知られている。このような装置は、通常、例えばアルミニウムからつくられた平坦な底部を有するマガジンを有し、パッケージ材はマガジンの底部で支持されている。しかしながら、現在使用されているこれらの装置が有する深刻な問題は、パッケージ材をマガジンの底部に沿って移動させるときに静止摩擦によってパッケージ材の送りが不均一になることである。摩擦係数が送る力よりも大きい力を発生するときに生じる、すべりと張り付き（ｓlip-ｓtick）の影響によって、１つのパッケージ材を送ることが望ましい場合にパッケージ材が送られなかったり、２つ以上のパッケージ材料が送られるという結果を生じる。
【０００４】
他の問題は、ほとんど空のマガジンでなく装填されて間もないマガジン内でパッケージ材を移動させる際に大きな力が必要になるということである。
【０００５】
さらに他の問題は、折られたパッケージ材が元の位置に戻ろうとするときに生じるスプリングバック効果である。この効果は、静止摩擦が存在するときにより頻繁に生じ、パッケージ材を送る力が制御されないようにする。
【０００６】
異なるタイプの力を減少させることによってこれらの問題を克服する試みがなされてきた。また、静止摩擦の影響を低減するか、またはそれをなくすために振動機や移動ガイドが試験されてきたが、不成功に終わっている。
【０００７】
（発明の概要）
本発明の目的は、上記した欠点を解消し、明確で制御された方法でパッケージ材をパッケージ機械に送る装置及び方法を提供することである。
【０００８】
本発明のさらに他の目的は、動的摩擦を使用することと、マガジンの底部の静止摩擦をなくすことによって、装置のマガジン内で連続的にパッケージ材を送る力が小さく一定である、パッケージ材をパッケージ機械に送る装置及び方法を提供することである。
【０００９】
前記目的を達成するために、本発明は、底部に１つまたは複数の軸を有するマガジンを備えた装置を提供する。１つまたは複数の軸は、材料が送られる方向に沿って延びている。モータによって一定の速度で１つまたは複数の軸を回転させることによって、パッケージ材をマガジンの底部に沿って押すときに静止摩擦を解消する。
【００１０】
好ましくは、１つまたは複数の軸は、マガジンの底部の長さに対応する長さを有し、底部と同じ平面内に位置している。２つの軸が設けられる場合には、それらは、互いに所定の角度をなし、互いに反対方向に一定の速度で回転される。動的摩擦のみが存在するので、パッケージ材に対して一定の送出力を得ることができる。本発明の他の目的、特徴及び利点は、以下の詳細な説明、添付図面並びに特許請求の範囲から明らかになる。
【００１１】
（好適実施例の詳細な説明）
パッケージ機械にパッケージ材３を送る装置が図１に概略的に示されている。この装置は、底部の１つまたはそれ以上の軸７とゲート２とを有するマガジンを備えている。開放可能なゲート２は、マガジンの出口端部でストッパとして作用する。モータ４が、駆動軸６によって駆動装置５に接続されている。パッケージ材３は、マガジンに入れられ、そこでパッケージ機械（図示せず）に送られるパッケージ材３は、ゲート２に当接する。
【００１２】
図２は、図１の装置の概略的な平面図であり、マガジンの底部に２つの軸７が設けられている。２つの軸は、駆動装置５に接続され、したがってモータ４に接続されている。軸７の長さは、マガジンの長さに対応している。軸７は、互いに角度を有しており、軸７の間の距離は、マガジンの出口端部のゲート２で小さくなっており、また、軸７はマガジンの底部と同じ平面に取り付けられている。
【００１３】
この装置は、マガジンがほとんど空のときにマガジンにパッケージ材３を再装填するためのロボット（図示せず）と、矢印Ａで示すようにマガジン内で前方にゲート２へ向けてパッケージ材３を移動させるための、例えば空気圧装置を有するプッシャ（図示せず）と、パッケージ材３をパッケージ機械に１つづつ送出するためにゲート２に配置されたドッグ（送出部材）（図示せず）とを含む。
【００１４】
パッケージ材３をパッケージ機械に送るために現在使用されている装置において、マガジンは、ある摩擦係数を有する、例えば、金属好ましくはアルミニウムからつくられた平坦な底部１を有する。その静止摩擦は、パッケージ材３がマガジン内で円滑に均一に移動する妨げになる。静止摩擦について考慮すべき他の影響は、パッケージ材３を移動させるために必要な力はマガジンが再装填されて間もないときには大きくなければならないが、この力は、図３にＥで示すようにマガジンが収容するパッケージ材３が少なくなるにつれて減少するということである。すべりと張りつきの影響は、摩擦係数がパッケージを送る力より大きい力を発生するときに生じる。この影響の結果、パッケージ材３が前方への移動中にマガジンの底部１に張りつき、不均一な動きを生じ、パッケージ材３をパッケージ機械に１つづつ確実に送ることが妨げられる。
【００１５】
考慮すべき他の事実は、静止摩擦が存在するときに増大するスプリングバックの影響である。これは、マガジン内に入れられ折り曲げられたパッケージ材３が元の位置に戻ろうとするときに生じる。パッケージ材３がこのようになるとき、その送出力は、制御されなくなる。
【００１６】
上記した問題は、静止摩擦がなく動的摩擦のみを使用する本発明によって解決される。マガジン内のパッケージ材３は、軸７上に支持され、これらの軸７は、図２の矢印Ｃ及びＤによって示すようにモーター４によって互いに反対方向に一定の速度で回転される。この回転によって、軸７は平行ではないので、前方に向いた小さい力成分がゲート２に向けてパッケージ材３を浮くような状態で動かそうとし、図１の矢印Ｂで示されるように、マガジン内のパッケージ材３をゲート２に移動させるためにプッシャによる小さい一定の送り力のみしか必要とされなくなる。パッケージ材３を送出部材によってパッケージ機械へ１つづつ送る運動は、一定の速度で安全に行われる。なぜならば、パッケージ材は、正確に定められた位置にあるからである。
【００１７】
マガジンが空になり、パッケージ材３をマガジンに再装填するとき、制御されたスプリングバックの効果による規定された力を使用することができる。この段階で、ロボットがパッケージ材３をマガジンに装填することができるように、プッシャは短時間の間その位置から離れる。スプリングバック効果による力と回転時の角度を有する軸による小さい力の成分は、パッケージ材３をゲート２に向けて中断しないように連続的に移動させるように協働する。
【００１８】
本発明によってマガジンの長さに関する制限はより少なくなり、マガジン内にパッケージ材３をより多く装填することが可能になる。また、広範な送出速度を有することが可能になる。
【００１９】
他の利点は、軸７が互いに角度をなして回転するときにパッケージ材３に望ましくない小さい傷がつかないことである。
【００２０】
本発明を例示的に、限定目的でなく、図示実施例を参照して説明した。当業者には容易に理解できるように、例えば、マガジンにパッケージ材３が装填されたときにパッケージ材を支持するために２つ以上（ｓｅｖｅｒａｌ）の回転軸を設けるような、図示実施例以外のものとすることも、特許請求の範囲内で可能である。
【図面の簡単な説明】
【図１】  パッケージ機械にパッケージ材を送るための本発明による装置の概略的な側面図であり、パッケージ材は装置のマガジン内に配置されており、装置内のパッケージ材を移動させるために必要な力の配分が示されている。
【図２】  本発明の装置の底部を示す概略的な平面図である。
【図３】  パッケージ材をパッケージ機械に送るための従来の装置の概略的な側面図であり、装置内のパッケージ材を移動するために必要な力の配分が示されている。
【図１】
0004755387.tif 000002
【図２】
0004755387.tif 000003
【図３】
0004755387.tif 000004